(57)【特許請求の範囲】
【請求項１】
浄水を供給する給水通路と、上記給水通路に接続されて塩化ナトリウムを主成分とするＡ液を供給するＡ液通路と、上記給水通路に接続されて炭酸水素ナトリウム水溶液からなるＢ液を供給するＢ液通路と、上記給水通路における上記Ａ液通路およびＢ液通路の接続位置よりも下流側に検出部を設けた濃度測定手段とを備え、
上記浄水、Ａ液、Ｂ液をそれぞれ所定の割合で混合して透析液を調製し、該調製した透析液の濃度を上記濃度測定手段によって測定する透析液調製装置の診断方法であって、
上記透析液を調製する前に、上記給水通路に上記Ｂ液通路からＢ液を供給して、上記給水通路にＢ液だけを流通させ、
上記濃度測定手段により上記Ｂ液の電気伝導度を測定して、測定したＢ液の電気伝導度を予め設定した値と比較することにより、上記濃度測定手段の精度を診断することを特徴とする透析液調製装置の診断方法。
【請求項２】
上記Ｂ液の電気伝導度を測定する際、上記Ｂ液通路に設けられて給水通路にＢ液を供給するＢ液ポンプがＢ液の送液を開始してから、上記濃度測定手段が上記Ｂ液の濃度を測定するまでの時間を計測し、
これにより、上記Ｂ液ポンプの送液精度を診断することを特徴とする請求項１に記載の透析液調製装置の診断方法。
【請求項３】
上記Ｂ液の電気伝導度を測定した後、上記給水通路に浄水を流通させて、浄水とＢ液とを混合させてＢ液の調製液を調製し、
上記濃度測定手段により上記Ｂ液の調製液の電気伝導度を測定して、測定したＢ液の調製液の電気伝導度を予め設定した値と比較することにより、上記濃度測定手段の精度を診断することを特徴とする請求項１または請求項２のいずれかに記載の透析液調製装置の診断方法。
【請求項４】
浄水を流通させる給水通路と、該給水通路に設けられた給水ポンプと、上記給水通路に接続されて塩化ナトリウムを主成分とするＡ液を供給するＡ液通路と、Ａ液通路に設けられたＡ液ポンプと、上記給水通路に接続されて炭酸水素ナトリウム水溶液からなるＢ液を供給するＢ液通路と、該Ｂ液通路に設けられたＢ液ポンプと、上記給水通路における上記Ａ液通路およびＢ液通路の接続位置よりも下流側に検出部を設けた濃度測定手段と、各ポンプの作動を制御する制御手段を備え、上記浄水、Ａ液、Ｂ液を所定の割合で混合して透析液を調製する透析液調製装置において、
上記制御手段に上記濃度測定手段の精度を診断する診断部を設け、
上記制御手段は、給水ポンプとＡ液ポンプでは送液させず、上記Ｂ液ポンプを作動させて上記給水通路にＢ液のみを送液させ、
上記診断部は、上記濃度測定手段の検出部が測定したＢ液の電気伝導度と、予め設定された値とを比較して、上記濃度測定手段の精度を診断することを特徴とする透析液調製装置。
【発明の詳細な説明】
【技術分野】
【０００１】
本発明は透析液調製装置の診断方法と透析液調製装置に関し、詳しくは浄水、Ａ液、Ｂ液をそれぞれ所定の割合で混合して透析液を調製し、該調製した透析液の濃度を濃度測定手段によって測定する透析液調製装置の診断方法と透析液調製装置に関する。
【背景技術】
【０００２】
従来、透析装置で使用する透析液を調製するため、浄水を供給する給水通路と、上記給水通路に接続されて塩化ナトリウムを主成分とするＡ液を供給するＡ液通路と、上記給水通路に接続されて炭酸水素ナトリウム水溶液からなるＢ液を供給するＢ液通路とを備えた透析液調製装置が知られている。
このような透析液調製装置では、調製した透析液に異常が無いかを判定するため、上記給水通路における上記Ａ液通路およびＢ液通路の接続位置よりも下流側に電気伝導度の検出部を設けた濃度測定手段を備えている。
また上記透析液調製装置において、透析治療における安全性向上のため、透析液を調製する前に予め透析液調製装置に設けられた開閉弁等の動作確認を行うものも知られている（特許文献１）。
【先行技術文献】
【特許文献】
【０００３】
【特許文献１】特開平６−１４２１９１号公報
【発明の概要】
【発明が解決しようとする課題】
【０００４】
しかしながら、上記特許文献１の透析液調製装置においては、上記濃度測定手段の精度について診断しておらず、上記検出部を構成する電極に透析液の析出物が付着する等して濃度測定手段の精度が低下している場合には、正常な透析液の濃度測定が行われず、調製される透析液の濃度が不安定となるおそれがあった。
このような問題に鑑み、本発明は濃度測定手段の診断のために特別な試薬や機器等を必要とせず、簡易に診断を行うことが可能な透析液調製装置の診断方法ならびに透析液調製装置を提供するものである。
【課題を解決するための手段】
【０００５】
すなわち請求項１の発明にかかる透析液調製装置の診断方法は、浄水を供給する給水通路と、上記給水通路に接続されて塩化ナトリウムを主成分とするＡ液を供給するＡ液通路と、上記給水通路に接続されて炭酸水素ナトリウム水溶液からなるＢ液を供給するＢ液通路と、上記給水通路における上記Ａ液通路およびＢ液通路の接続位置よりも下流側に検出部を設けた濃度測定手段とを備え、
上記浄水、Ａ液、Ｂ液をそれぞれ所定の割合で混合して透析液を調製し、該調製した透析液の濃度を上記濃度測定手段によって測定する透析液調製装置の診断方法であって、
上記透析液を調製する前に、上記給水通路に上記Ｂ液通路からＢ液を供給して、上記給水通路にＢ液だけを流通させ、
上記濃度測定手段により上記Ｂ液の電気伝導度を測定して、測定したＢ液の電気伝導度を予め設定した値と比較することにより、上記濃度測定手段の精度を診断することを特徴としている。
【０００６】
また請求項４の発明にかかる透析液調製装置は、浄水を流通させる給水通路と、該給水通路に設けられた給水ポンプと、上記給水通路に接続されて塩化ナトリウムを主成分とするＡ液を供給するＡ液通路と、Ａ液通路に設けられたＡ液ポンプと、上記給水通路に接続されて炭酸水素ナトリウム水溶液からなるＢ液を供給するＢ液通路と、該Ｂ液通路に設けられたＢ液ポンプと、上記給水通路における上記Ａ液通路およびＢ液通路の接続位置よりも下流側に検出部を設けた濃度測定手段と、各ポンプの作動を制御する制御手段を備え、上記浄水、Ａ液、Ｂ液を所定の割合で混合して透析液を調製する透析液調製装置において、
上記制御手段に上記濃度測定手段の精度を診断する診断部を設け、
上記制御手段は、給水ポンプとＡ液ポンプでは送液させず、上記Ｂ液ポンプを作動させて上記給水通路にＢ液のみを送液させ、
上記診断部は、上記濃度測定手段の検出部が測定したＢ液の電気伝導度と、予め設定された値とを比較して、上記濃度測定手段の精度を診断することを特徴としている。
【発明の効果】
【０００７】
上記請求項１および請求項４の発明によれば、上記濃度測定装置の精度の診断を行うために、透析液の調製に使用するＢ液を使用するため、特別な試薬や機器等を必要とせず、濃度測定装置を備えた透析液調製装置の内部で簡易に診断を行うことができる。
【図面の簡単な説明】
【０００８】
【図１】第１実施例にかかる透析液調製装置の構成図
【図２】第２実施例にかかる個人用透析装置の構成図
【発明を実施するための形態】
【０００９】
以下図示実施例について説明すると、図１は病院等に設置される透析液調製装置１を示しており、この透析液調製装置１は、いわゆる多人数用透析液供給装置として、調製した透析液を図示しない複数台の透析監視装置に供給するようになっている。
上記透析液調製装置１は、浄水を供給する図示しない浄水供給手段に接続された給水通路２と、上記給水通路２に接続されて透析液の原液であるＡ液を供給するＡ液通路３と、上記給水通路２に接続されてＢ液を供給するＢ液通路４と、給水通路２から続いて不良な透析液を排液する廃液通路５とを備え、この透析液調製装置１の電磁開閉弁やポンプの作動は制御手段６によって制御されるようになっている。
また上記透析液の原液としてのＡ液は、塩化ナトリウムを主成分とする溶液となっており、上記塩化ナトリウム以外にブドウ糖等の成分も含まれるが、使用する患者によってその比率が変更される場合があるため、Ａ液自体の濃度は調製する透析液毎に変化する場合がある。
一方、上記透析液の原液としてのＢ液は、炭酸水素ナトリウムだけを含んだ水溶液からなり、調製する透析液に関わらず、このＢ液の濃度は一定となっている。
そして上記透析液調製装置１は、後に詳述するように透析液を調製する前に予め当該透析液調製装置１を構成する各機器の診断を行うセルフチェック機能を有しており、セルフチェックを行う診断モードと、透析液の調製を行う調製モードとに切替え可能となっている。
【００１０】
上記Ｂ液通路４は、上記給水通路２における上記Ａ液通路３よりも上流側に接続されており、またＢ液通路４の接続位置よりも上流側には、上流側から順に、給水通路２を開閉する第１開閉弁１１と、給水通路２内の浄水の流量を調整する調整弁１２と、浄水を送液する浄水ポンプ１３と、浄水の流量を測定する流量計１４とが設けられている。
上記調整弁１２はニードルバルブとなっており、上記制御手段６の制御によって浄水ポンプ１３が送液する浄水の流量を調整し、上記流量計１４はその流量を測定して、上記調整弁１２の流量調整にフィードバックするようになっている。
上記Ａ液通路３は、一端がＡ液を貯溜したＡ液タンク１５に接続されており、またＡ液通路３上にはＡ液を送液するＡ液ポンプ１６が設けられている。これと同様、上記Ｂ液通路４はＢ液を貯溜したＢ液タンク１７に接続され、またＢ液通路４上にはＢ液を送液するＢ液ポンプ１８が設けられている。
上記Ａ液ポンプ１６およびＢ液ポンプ１８はそれぞれ容量式のポンプからなり、図示しないモータを備えており、このモータを所定の回転数で回転させることにより、制御手段６に設定された所定流量のＡ液およびＢ液を給水通路２に供給することが可能となっている。
【００１１】
上記給水通路２における上記Ｂ液通路４とＡ液通路３との間には、上流側から順に、液体を一時的に貯溜する第１バッファタンク１９と、液体の濃度を測定する第１濃度測定手段２０の検出部２０ａと、液体の温度を測定する第１温度測定手段２１とが設けられている。
また上記給水通路２におけるＡ液通路３の下流側には、上流側から順に、液体を一時的に貯溜する第２バッファタンク２２と、液体の濃度を測定する第２濃度測定手段２３の検出部２３ａと、液体の温度を測定する第２温度測定手段２４と、透析液を清浄化する第１フィルタ２５および第２フィルタ２６と、液体の濃度を測定する第３濃度測定手段２７の検出部２７ａと、液体の温度を測定する第３温度測定手段２８とが設けられている。
そして、上記第３温度測定手段２８の下流側には、廃液通路５との境界に接続ポート２９が設けられ、この接続ポート２９には給液通路３０が設けられるとともに、該給液通路３０には透析液を送液する送液ポンプ３１と、ドリップチャンバ３２とが設けられており、また接続ポート２９以降の上記廃液通路５には第２開閉弁３３が設けられている。
【００１２】
上記第１、第２バッファタンク１９、２２は、上記給水通路２の一部分を拡径させて液体を撹拌させる空間を形成しており、第１バッファタンク１９ではＢ液と浄水とを混合させてＢ液の調製液を調製し、第２バッファタンク２２では上記Ｂ液の調製液にＡ液を混合させて透析液を調製するようになっている。
上記第１バッファタンク１９の内部で調製されるＢ液の調製液におけるＢ液と浄水との比率は、上記透析液調製装置１が調製する透析液におけるＢ液と浄水との比率と一致しており、Ｂ液の濃度は予め測定されて上記制御手段６に登録されている。
また、第２バッファタンク２２の内部で調製される透析液についても、その濃度は予め測定されて上記制御手段６に登録されており、この濃度は使用するＡ液に応じて複数種類が登録されている。
上記第１、第２フィルタ２５、２６は、調製された透析液中のエンドトキシンを除去するものとなっており、２つのフィルタにより確実にエンドトキシンを除去するものとなっている。
【００１３】
上記第１〜第３濃度測定手段２０、２３、２７は、電極からなる第１〜第３検出部２０ａ、２３ａ、２７ａがそれぞれ液体の電気伝導度を測定することにより液体の濃度に換算する濃度計となっており、上記制御手段６に組み込まれている。
第１〜第３温度測定手段２１、２４、２８はそれぞれに第１〜第３検出部２０ａ、２３ａ、２７ａに隣接して配置され、第１〜第３濃度測定手段２０、２３、２７では、測定された液温により濃度の換算値を補正するようになっている。
透析液調製装置１が調製モードとなっている際には、上記第１濃度測定手段２０は上記第１バッファタンク１９で調製されたＢ液の調製液の電気伝導度を測定し、第２、第３濃度測定手段２３、２７は第２バッファタンク２２で調製された透析液の電気伝導度を測定するようになっている。
制御手段６は、これら第１〜第３濃度測定手段２０、２３、２７が測定したＢ液の調製液および透析液の電気伝導度を、予め登録されたＢ液の調製液および透析液の電気伝導度と比較して、これらの電気伝導度に異常があるか否かを判定するようになっている。
そして、Ｂ液の調製液や透析液からは炭酸カルシウムが析出し、検出部２０ａ、２３ａ、２７ａの電極に付着して測定が不安定になることから、本実施例では、透析液の調製を行う前に透析液調製装置１のセルフチェックを行う診断モードとするようになっている。
このため、上記制御手段６にはセルフチェックを行うための診断部６ａを備えており、この診断部６ａにおいて上記第１〜第３濃度測定手段２０、２３、２７の精度を診断するようになっている。
【００１４】
以下、上記構成を有する透析液調製装置１の動作について説明する。まず起動前の透析液調製装置１において、上記Ａ液通路３およびＢ液通路４には、透析液の調製に使用するＡ液およびＢ液の貯溜されたＡ液タンク１５およびＢ液タンク１７がそれぞれ接続されており、また上記給水通路２は該給水通路２の洗浄後のすすぎ水として使用した浄水で満たされており、Ａ液およびＢ液は混入していない状態となっている。
この状態から、作業者が図示しない操作パネルを操作して透析液調製装置１を起動させると、診断モードとなりセルフチェック機能が作動して、各電磁開閉弁やポンプ、各測定手段の動作確認とともに、制御手段６の診断部６ａにより濃度測定手段の精度を診断するようになっている。
なお、以下の説明においては、上記第１〜第３濃度測定手段２０、２３、２７の精度の診断を行う診断方法について説明する。
【００１５】
まず制御手段６は、上記給水通路２の第１開閉弁１１を閉鎖して第２開閉弁３３を開放するとともに、上記浄水ポンプ１３、送液ポンプ３１を停止させ、上記Ｂ液通路４のＢ液ポンプ１８を作動させる。このときＡ液ポンプ１６は停止している。
これにより、Ｂ液タンク１７から供給されるＢ液はＢ液通路４を介して給水通路２に流入し、給水通路２では満たされていた浄水が廃液通路５に押し出されて、最終的には給水通路２はＢ液通路４の接続位置より下流側がＢ液のみで満たされた状態となる。
制御手段６では、Ｂ液ポンプ１８の作動から少なくとも第３濃度測定手段２７の検出部２７ａにまでＢ液が行き渡る十分な時間が経過すると、第１〜第３濃度測定手段２０、２３、２７の第１〜第３検出部２０ａ、２３ａ、２７ａによる電気伝導度の測定を行う。
そして診断部６ａでは、測定した電気伝導度を、予め設定した値（例えば、Ｂ原液として７％の炭酸水素ナトリウム水溶液を使用している場合は、４５．４ｍＳ／ｃｍ）と比較する。
今回測定したＢ液の測定値が、予め設定した値に対して所定の誤差範囲内である場合、診断部６ａでは異常が無いものと診断し、誤差範囲を超えている場合には異常があるものと診断する。
全ての濃度測定手段２０、２３、２７に異常が無い場合、制御手段６は以下に説明する作業を続行し、異常がある場合、制御手段６は該当する濃度測定手段について、警告を行う。
【００１６】
また制御手段６では、上記Ｂ液ポンプ１８がＢ液の送液を開始してから、継続して上記第１濃度測定手段２０によって電気伝導度を測定しており、その電気伝導度が上記所定値に到達するまでの時間を計測する。すなわち、Ｂ液が第１検出部２０ａに到達するまでの時間を計測する。
そして診断部６ａでは、計測したＢ液の到達時間を、予め設定された標準時間と比較し、Ｂ液ポンプ１８の異常の有無を判定する。上記到達時間が標準時間よりも遅い場合には、Ｂ液ポンプ１８の送液量が足りないこととなり、早い場合は送液量が規定より多いこととなる。
【００１７】
このようにして第１〜第３濃度測定手段２０、２３、２７の各検出部２０ａ、２３ａ、２７ａでＢ液の電気伝導度を測定したら、制御手段６は給水通路２の第１開閉弁１１を開放し、さらに浄水ポンプ１３を作動させて、給水通路２に所定流量の浄水を流通させる。
この際、上記Ｂ液ポンプ１８は規定流量で送液しており、これにより上記給水通路２の第１バッファタンク１９ではＢ液と浄水とが混合されて所定濃度のＢ液の調製液が調製され、このＢ液の調製液は廃液通路５まで流通する。
制御手段６では、Ｂ液のみを送液した場合と同様、第１〜第３検出部２０ａ、２３ａ、２７ａで電気伝導度を測定し、診断部６ａではこれら測定値をＢ液の調製液の濃度に該当する予め設定した値と比較して精度を診断する。
このように、Ｂ液とＢ液の調製液の濃度、すなわち電気伝導度の異なる液を測定することで、より正確な第１〜第３濃度測定手段２０、２３、２７の診断が可能となる。
【００１８】
このようにして第１〜第３濃度測定手段２０、２３、２７の各検出部２０ａ、２３ａ、２７ａでＢ液の調製液の電気伝導度を測定したら、制御手段６はＡ液通路３のＡ液ポンプ１６を作動させて、給水通路２にＡ液を供給させる。
この際も上記Ｂ液ポンプ１８は作動しており、これによりＡ液通路３の接続された位置よりも下流側に位置する第２バッファタンク２２ではＢ液の調製液にＡ液が混合されて透析液が調製され、この透析液は給水通路２を廃液通路５まで流通する。
制御手段６では、第２濃度測定手段２３の第２検出部２３ａ、第３濃度測定手段２７の第３検出部２７ａにより透析液の電気伝導度を測定し、透析液の電気伝導度として予め設定された値と比較して、透析液の濃度の良否を判定する。
また、Ａ液ポンプ１６がＡ液の供給を開始してから、第２検出部２３ａで所定の透析液濃度に相当する電気伝導度を測定するまでの時間を計測することによって、Ａ液ポンプ１６の送液量の診断を行うことができる。
そして、このようにして第１〜第３濃度測定手段２０、２３、２７の精度の診断が完了し、またその他の機器にも異常が見られなかった場合、上記制御手段６は透析液調製装置１の診断を終了し、透析液調製装置１は診断モードから調製モードへと切替えられて、引き続き透析液の調製を行う。
【００１９】
このように、上記実施例にかかる透析液調製装置１によれば、上記制御手段６に設けた診断部６ａにより、自動的に第１〜第３濃度測定手段２０、２３、２７の精度を診断することができる。
また上記第１〜第３濃度測定手段２０、２３、２７の診断をするために、透析液の調製に使用するＢ液を利用しているので、診断のために特別な試薬や機器を必要とせず、簡易に診断を行うことができる。
このとき、Ｂ液が濃度測定手段の検出部に到達するまでの到達時間を計測することで、上記Ｂ液ポンプ１８の送液量の診断を行うことも可能となっている。
さらに、第１〜第３濃度測定手段２０、２３、２７の診断を行う際に、Ｂ液と、Ｂ液の調製液という、異なる電気伝導度の液体を測定することで、正確な診断を行うことが可能となっている。
【００２０】
なお上記実施例では、上記Ｂ液通路４が上記給水通路２における上記Ａ液通路３よりも上流側に接続されているが、これをＡ液通路３よりも下流側に接続することも可能である。
つまり、図１における３をＢ液通路、４をＡ液通路とし、１５、１６をそれぞれＢ液タンク、Ｂ液ポンプとし、１７、１８をそれぞれＡ液タンク、Ａ液ポンプとすることが可能である。
このような構成とした場合において、上記第１〜第３濃度測定手段２０、２３、２７の精度の診断を行う際には、上述した手順と同様の手順により、最初にＢ液通路（３）の下流側に位置する第２、第３濃度測定手段２３、２７の第２、第３検出部２３ａ、２７ａへとＢ液を送液し、これにより第２、第３濃度測定手段２３、２７の診断を行い、またＢ液ポンプ（１６）の異常の有無を判定する。
【００２１】
続いて、Ｂ液通路（３）とＡ液通路（４）との間に配置された第１濃度測定手段２０の診断を行うため、給水通路２の第１開閉弁１１を閉鎖するとともに第２開閉弁３３を開放した状態を維持するとともに、上記浄水ポンプ１３および送液ポンプ３１を停止させておき、その状態でＡ液ポンプ（１８）を逆回転させる。
すると、上記給水通路２におけるＢ液通路３の接続位置より下流側に満たされたＢ液が、第１濃度測定手段２０の第１検出部２０aまで逆流され、これによりＢ液の電気伝導度を測定して、第１濃度測定手段２０の診断を行うことができる。
また第１濃度測定手段２０の診断を行うためのその他の方法としては、第２、第３濃度測定手段２３、２７の診断を行った状態から、給水通路２の第１開閉弁１１を閉鎖するとともに、上記浄水ポンプ１３および送液ポンプ３１を停止させておき、その状態で上記第２開閉弁３３を閉鎖する。
さらにＢ液ポンプ（１６）を作動させるとともに、上記Ａ液ポンプ（１８）をＢ液ポンプ（１６）と同じ速度で逆回転させると、Ｂ液が第１濃度測定手段２０の第１検出部２０aまで逆流し、これによりＢ液の電気伝導度を測定して、第１濃度測定手段２０の診断を行うことができる。
なお、このようにＡ液通路（４）をＢ液通路（３）よりも上流側に設け、Ａ液ポンプ（１８）を逆回転させるような場合には、Ｂ液がＡ液タンク（１７）の中に入らないよう、Ａ液ポンプ（１８）の逆回転量に制限を設定することが望ましい。
【００２２】
図２は第２実施例を示し、いわゆる個人用透析装置１０１の構成図を示している。この個人用透析装置１０１は図１に示す透析液調製装置１としての機能も有しており、透析液の調製を行うことが可能となっている。
なお、以下の実施例において、上記第１実施例と共通する構成については第１実施例で使用した符号に対して１００を加算した符号を用いるものとし、詳細な説明を省略するものとする。
個人用透析装置１０１は、血液と透析液との間で透析を行う透析器１０６と、該透析器１０６と患者との間に接続される血液回路１０７と、上記透析器１０６に新鮮な透析液を供給し、使用済み透析液の回収を行う第１、第２チャンバＣ１，Ｃ２とを備えている。
上記第１、第２チャンバＣ１，Ｃ２はそれぞれ可撓性を有するダイアフラムＣ１ａ，Ｃ２ａによって新鮮な透析液が貯溜される供給室Ｃ１ｂ、Ｃ２ｂと、使用済みの透析液が貯溜される回収室Ｃ１ｃ、Ｃ２ｃとに区画されている。
上記供給室Ｃ１ｂ、Ｃ２ｂには、給水通路１０２と、新鮮な透析液を透析器１０６に供給する給液通路１０８とが接続され、また上記回収室Ｃ１ｃ、Ｃ２ｃには、廃液通路１０５と、透析器１０６から使用済み透析液を回収する回収通路１０９とが接続されており、これらの通路にはそれぞれ各種電磁開閉弁が設けられている。
【００２３】
そして、上記第１実施例における給水通路２は、第２実施例における給水通路１０２および給液通路１０８に該当し、第３濃度測定手段１２７の検出部１２７ａ、第３温度測定手段１２８、第１フィルタ１２５はそれぞれ上記給液通路１０８に設けられている。
また上記第３濃度測定手段１２７および第３温度測定手段１２８は給液通路１０８における第１フィルタ１２５の上流側に設けられ、第１実施例における第２フィルタ２６は省略されており、さらに上記送液ポンプ１３０は上記回収通路１０９に設けられている。
そして、上記第１フィルタ１２５には上記回収通路１０９との間にバイパス通路１１０が形成されており、このバイパス通路１１０に設けた第２開閉弁１３２を開放することで、濃度不良と判定された透析液を廃液するようになっている。
【００２４】
上述したような構成を有する個人用透析装置１０１自体は従来公知であるため、動作についての詳細な説明は省略するが、上記第１実施例と同様、この個人用透析装置１０１においても、制御手段１０６に設けた診断部１０６ａにより、上記第１実施例と同様、第１〜第３濃度測定手段１２０、１２３、１２７の精度の診断が可能となっており、また上記Ｂ液ポンプ１１８、Ａ液ポンプ１１６の送液量についても診断することが可能となっている。
なお上記第２実施例の構成においても、Ｂ液通路をＡ液通路よりも下流側に接続することが可能であり、このような構成としても第１〜第３濃度測定手段１２０、１２３、１２７の精度の診断を行うことができる。
【符号の説明】
【００２５】
１  透析液調製装置                  ２  給水通路
３  Ａ液通路                        ４  Ｂ液通路
５  廃液通路                        ６  制御手段
６ａ  診断部                        １５  Ａ液タンク
１６  Ａ液ポンプ                    １７  Ｂ液タンク
１８  Ｂ液ポンプ                    ２０  第１濃度測定手段
２０ａ  第１検出部                  ２３  第２濃度測定手段
２３ａ  第２検出部                  ２７  第３濃度測定手段
２７ａ  第３検出部                  
【図１】
0005803543.tif 000002
【図２】
0005803543.tif 000003